(57)【要約】  可動家具部品（２）用の駆動装置（１）は、閉じ位置（ＳＳ）から開き位置（ＯＳ）に可動家具部品（２）を取り出すためのロック可能な取り出し装置（３）を有する。その取り出し装置（３）は、閉じ方向（ＳＲ）において閉じ位置（ＳＳ）の後ろにある超過押圧位置（ＵＳ）に向けて可動家具部品（２）を超過押圧することでロック解除可能である。この駆動装置にはブロック要素（４）が設けられており、当該ブロック要素（４）は、超過押圧位置（ＵＳ）に到達したときに当該ブロック要素が前記取り出し装置（３）のロック解除を防止するところのブロック位置（Ｂ）を有すると共に、超過押圧位置（ＵＳ）に到達したときに前記取り出し装置（３）がロック解除され得るところのリリース位置（Ｆ）を有している。【選択図】図１５ｂ
2016514575.tif 000002
【特許請求の範囲】
【請求項１】
可動家具部品（２）用の駆動装置（１）であって、
閉じ位置（ＳＳ）から開き位置（ＯＳ）に可動家具部品（２）を取り出すためのロック可能な取り出し装置（３）を備えており、当該取り出し装置（３）は、閉じ方向（ＳＲ）において閉じ位置（ＳＳ）の後ろにある超過押圧位置（ＵＳ）に向けて可動家具部品（２）を超過押圧することでロック解除可能である、可動家具部品（２）用の駆動装置（１）において、
ブロック要素（４）を備えており、当該ブロック要素（４）は、
超過押圧位置（ＵＳ）に到達したときに当該ブロック要素（４）が前記取り出し装置（３）のロック解除を防止するところのブロック位置（Ｂ）を有すると共に、
超過押圧位置（ＵＳ）に到達したときに前記取り出し装置（３）がロック解除され得るところのリリース位置（Ｆ）を有する、ことを特徴とする駆動装置。
【請求項２】
前記ブロック要素（４）は、閉じ位置（ＳＳ）に到達する前に前記ブロック位置（Ｂ）に移動可能である、ことを特徴とする請求項１に記載の駆動装置。
【請求項３】
前記ブロック要素（４）は、前記ブロック位置（Ｂ）から前記リリース位置（Ｆ）に移動可能であり、
前記可動家具部品（２）は、前記ブロック要素（４）が前記リリース位置（Ｆ）に戻るときに前記閉じ位置（ＳＳ）にある、ことを特徴とする請求項２に記載の駆動装置。
【請求項４】
前記ブロック要素（４）は、リセット装置（５）によって前記ブロック位置（Ｂ）から前記リリース位置（Ｆ）に移動可能である、
ことを特徴とする請求項１〜３のいずれか一項に記載の駆動装置。
【請求項５】
前記リセット装置（５）のリセット動作（Ｔ）は時間遅延してもたらされる、
ことを特徴とする請求項４に記載の駆動装置。
【請求項６】
前記リセット動作（Ｔ）は、０．２〜４秒、好ましくは０．３〜１秒の間持続する、
ことを特徴とする請求項５に記載の駆動装置。
【請求項７】
取り出し力貯蔵手段（６）により強制作動される取り出しレバー（７）、及び、
ロックベースプレート（８）に沿って移動可能であると共に、閉じ位置（ＳＳ）において前記取り出しレバー（７）がもたれかかるところのロック要素（９）
を備え、
前記閉じ位置（ＳＳ）では、ロック位置（Ｖ）にある前記ロック要素（９）は前記取り出しレバー（７）の取り出し部（Ａ）への移動の経路をブロックし、
前記超過押圧位置（ＵＳ）では、リリース位置（Ｇ）にある前記ロック要素（９）は前記取り出しレバー（７）の取り出し部（Ａ）への移動の経路を有効にする、
ことを特徴とする請求項１〜６のいずれか一項に記載の駆動装置。
【請求項８】
前記ブロック要素（４）は、前記ロック要素（９）上に移動可能に、好ましくは回転可能に、取り付けられている、ことを特徴とする請求項７に記載の駆動装置。
【請求項９】
前記ブロック要素（４）は、閉じ動作において、前記取り出し装置（３）によって、好ましくはその取り出しレバー（７）によって、前記ブロック位置（Ｂ）に移動可能である、ことを特徴とする請求項７又は８に記載の駆動装置。
【請求項１０】
前記ブロック位置（Ｂ）にある前記ブロック要素（４）は、前記ロック要素（９）の前記リリース位置（Ｆ）への移動を防止する、
ことを特徴とする請求項７〜９のいずれか一項に記載の駆動装置。
【請求項１１】
前記ブロック要素（４）は、好ましくは前記ロックベースプレート（８）に設けられたガイド経路（１０）内を制限的に移動可能に設けられている、
ことを特徴とする請求項７〜１０のいずれか一項に記載の駆動装置。
【請求項１２】
前記ブロック要素（４）は、前記ガイド経路（１０）のブロック位置（Ｂ）に保持されており、好ましくはくさび留めされている、
ことを特徴とする請求項１１に記載の駆動装置。
【請求項１３】
好ましくは前記取り出しレバー（７）によって形成される引き込み装置（３５）を備えている、ことを特徴とする請求項１〜１２のいずれか一項に記載の駆動装置。
【請求項１４】
前記駆動装置（１）は、制御経路（１２）を有しており、
可動家具部品（２）の取り出し時に、前記取り出しレバー（７）は、前記制御経路（１２）の取り出し部（Ａ）にもたれかかり、
前記取り出し力貯蔵手段（６）のストレス付与時に、それは、前記制御経路（１２）のストレス付与部（Ｓ）にもたれかかり、
引き込み装置（３５）としての機能時において、可動家具部品（２）の前記閉じ位置（ＳＳ）への引き込み時に、それは、前記制御経路（１２）の引き込み部（Ｅ）にもたれかかる、ことを特徴とする請求項１３に記載の駆動装置。
【請求項１５】
請求項１〜１４のいずれか一項に記載の駆動装置（１）を有してなる家具製品（１３）。
【請求項１６】
特に請求項１〜１４のいずれか一項に記載の駆動装置（１）を具備した可動家具部品（２）を開閉する方法であって、該可動家具部品（２）を開くためのステップとして次のステップ、即ち、
ロック可能な取り出し装置（３）によって可動家具部品（２）を閉じ位置（ＳＳ）から開き位置（ＯＳ）に取り出すステップであって、前記取り出し装置（３）は、閉じ方向（ＳＲ）において閉じ位置（ＳＳ）の後ろにある超過押圧位置（ＵＳ）に向けて可動家具部品（２）を超過押圧することでロック解除されるものである、ステップと、
可動家具部品（２）を閉じるときの駆動装置（１）のブロック要素（４）を、超過押圧位置（ＵＳ）に到達したときに取り出し装置（３）のロック解除が防止されるところのブロック位置（Ｂ）に動かすステップと、
前記ブロック要素（４）を、前記ブロック位置（Ｂ）から、超過押圧位置（ＵＳ）に到達したときに取り出し装置（３）のロック解除が起きるところのリリース位置（Ｆ）に動かすステップと、
を備えることを特徴とする方法。
【請求項１７】
前記ブロック要素（４）のブロック位置（Ｂ）からリリース位置（Ｆ）への移動が、リセット装置（５）によって、好ましくは０．２〜４秒の時間だけ、時間遅延させて、閉じ位置（ＳＳ）にある可動家具部品（２）と共にもたらされる、
ことを特徴とする請求項１６に記載の方法。
【発明の詳細な説明】
【技術分野】
【０００１】
本発明は、可動家具部品用の駆動装置であって、閉じ位置から開き位置に可動家具部品を取り出すためのロック可能な取り出し装置を備えており、当該取り出し装置は、閉じ方向において閉じ位置の後ろにある超過押圧位置に向けて可動家具部品を超過押圧することでロック解除可能である、可動家具部品用の駆動装置に関する。
本発明はまた、そのような駆動装置を有してなる家具製品に関する。
更に、本発明は、駆動装置を具備した可動家具部品を開閉する方法であって、ロック可能な取り出し装置によって可動家具部品を閉じ位置から開き位置に取り出すステップを備え、前記取り出し装置は、閉じ方向において閉じ位置の後ろにある超過押圧位置に向けて可動家具部品を超過押圧することでロック解除されるものである、可動家具部品の開閉方法に関する。
【背景技術】
【０００２】
駆動装置、つまり、可動家具部品（例えば引き出し）を押すことで可動家具部品が家具カーカス（家具枠体）からロック解除され、可動家具部品が開く又は能動的に取り出し（エジェクト）されることに用いられる駆動装置が、家具用取り付け器具産業において既に長年にわたり知られている。その目的のためのそのような駆動装置は、いわゆるタッチラッチ機構を有している。その機構では、引き出しを開き位置から閉じる動作と、引き出しを閉じ位置からロック解除する又は開く動作は、同じ方向、つまり閉じ方向である。（手動での又は引き込み装置(retraction device)による）通常のソフトな閉鎖の場合、引き出し即ち可動家具部品は、ロック装置によって閉じ位置における閉じ動作の端部に保持される。しかしながら、引き出しが過度に固く押し閉められるならば、あるいは、引き出しが末端当接部(end abutment)（これは超過押圧位置に相当する）の所まで押されるならば、取り出し装置(ejection device)は、もはや全くロックすることができないか、又は、再び即座にトリガー（起動）され、可動家具部品のそのような不適切な作動の場合には、確実に閉じることを保証することができない。
【０００３】
この問題を解決するために、オーストリア特許出願Ａ  ５２／２０１２（これは、より早い優先日を持つが先行公報（公知刊行物）ではない）によって、過度に早い閉じ動作の場合に超過押圧位置への動きを防止するべく、ブロック要素が知られている。
【０００４】
こうして、可動家具部品の超過押圧動作は、前記ブロック要素によって閉じ位置で止められ、超過押圧や、閉じ位置を超えての押圧は、起き得ない。
【先行技術文献】
【特許文献】
【０００５】
【特許文献１】オーストリア特許出願Ａ  ５２／２０１２
【発明の概要】
【発明が解決しようとする課題】
【０００６】
本発明の目的は、閉じ位置を超えた動きに際して、取り出し装置の起動（トリガー）を防止する代替的な手法を提供することにある。
【課題を解決するための手段】
【０００７】
本発明の目的は、請求項１の特徴を有する駆動装置によって達成される。
本発明によれば、ブロック要素が設けられており、当該ブロック要素は、超過押圧位置に到達したときに当該ブロック要素が前記取り出し装置のロック解除（アンロック）を防止するところのブロック位置を有すると共に、超過押圧位置に到達したときに前記取り出し装置がロック解除され得るところのリリース位置（解放位置）を有している。
それ故、前記ブロック要素は、前述の特許出願Ａ  ５２／２０１２とは対照的に、「可動家具部品が、閉じ位置を超えて押圧されたときも閉じ位置には保持されず、しかし、閉じ位置を超えて末端当接部の所まで、即ち超過押圧位置へ移動することが許容される」ということをもたらす。とりわけ、このように、可動家具部品が閉じ位置を超えて押圧されたとき、可動家具部品の超過押圧位置への移動が確実に可能であるが、ブロック要素がブロック位置にある場合における取り出し装置のロック解除が防止される。
【０００８】
可動家具部品の開き方向への移動において、ブロック要素が既にブロック位置に移動されていることは、可能である（又は、あり得ることである）。しかしながら、可動家具部品の閉じ方向への移動において、ブロック要素がブロック位置に移動可能であることは、好ましい。閉じ位置に到達する前に、あるいは、遅くとも閉じ位置に到達した場合に、ブロック要素がブロック位置に移動可能であることは、取りも直さず重要である。
【０００９】
超過押圧による駆動装置全体のノーマルなトリガー（普通の起動）を許容するためにも、ブロック要素は、ブロック位置からリリース位置に再び復帰移動可能であるように設けられている。基本的に、ブロック要素のブロック位置からリリース位置への復帰移動に伴い、可動家具部品は、閉じ位置と超過押圧位置との間の超過押圧領域に配置され得る。しかしながら、ブロック要素がリリース位置に戻るときに、可動家具部品が閉じ位置にあることは、好ましい。
【００１０】
ブロック位置とリリース位置との間での切替えを機械的に簡素なものとするために、ブロック要素が、リセット装置によってブロック位置からリリース位置に移動可能であることは、好ましい。
【００１１】
原理上、リセット動作が閉じ圧力または閉じ速度に依存してもたらされることは、可能である（又は、あり得ることである）。換言すれば、可動家具部品を閉じ位置から超過押圧位置へ強引に又は素早く動かす場合、ブロック要素は、取り出し装置のロック解除を防止することができる。しかし、可動家具部品が固く押し閉じられるときに可動家具部品がロック解除されることが望まれることもあり得るので、リセット装置のリセット動作が時間遅延した関係でもたらされることは、好ましい。換言すれば、閉じ位置に達した後のある時間（所定時間）、取り出し装置のロック解除は不可能となり、これにより、可動家具部品が超過押圧位置に直接的に押し込まれた場合でもロック解除が防止される。その目的のために、リセット動作が０．２秒〜４秒の間、好ましくは０．３秒〜１秒の間、続くことが好ましい。それ故、少なくともその期間においては、ブロック位置又は閉じ位置に達した後も、取り出し装置のロック解除は不可能である。
【００１２】
原理上、ロック可能な取り出し装置は、心臓形（ハート形）のガイド経路においてラッチ可能（掛止可能）なロックピンを有するように設計することも可能である。しかしながら、次のことが理解されよう、即ち、本発明の好ましい実施態様は、
取り出し力貯蔵手段により力で作動される（強制作動される）取り出しレバー、及び、
ロックベースプレートに沿って移動可能であると共に、閉じ位置において前記取り出しレバーがもたれかかるところのロック要素を備えており、
前記閉じ位置では、ロック位置にある前記ロック要素は前記取り出しレバーの取り出し部への移動の経路をブロックし、前記超過押圧位置では、リリース位置にある前記ロック要素は前記取り出しレバーの取り出し部への移動の経路を有効にする(enable)。
それ故、ロックされる要素（つまり取り出しレバー）もまた同時に、取り出し用の強制作動されるコンポーネントを形成する。それら二つのコンポーネントは、心臓形（ハート形）経路を伴ったタッチラッチ機構の場合に常に分離して設けられている。
【００１３】
原理上、ブロック要素は、駆動装置の任意の位置に設けられることができ、又は駆動装置から分離して設けられることもできる。ただし、ブロック要素は、ロック要素上に移動可能に（好ましくは回転可能に）取り付けられている、ことが好ましい。
【００１４】
ブロック要素をブロック位置に移動させるために、前記ブロック要素は、閉じ動作において、前記取り出し装置によって（好ましくはその取り出しレバーによって）、ブロック位置に移動可能である、ことが好ましい。
【００１５】
また、ブロック位置にあるブロック要素が、ロック要素のリリース位置への移動を防止することで、超過押圧位置に達したときに、ブロック要素が取り出し装置のロック解除を防止する、ことは更に好ましい。
【００１６】
また、ブロック要素が、好ましくはロックベースプレートに設けられたガイド経路内を制限的に移動可能に設けられることで、ブロック要素が実現されることは好ましく、そこでは、ブロック要素は、ガイド経路のブロック位置に保持されており、好ましくはくさび留めされている(be wedged)。
【００１７】
駆動装置の機能範囲を広げると共に、作動の快適さ及び利便性を高めるために、駆動装置は、（好ましくは取り出しレバーによって形成される）引き込み装置(retraction device)を備えてもよい。好ましくは、引き込み装置は減衰装置によって減衰されてもよい。従って、特に好ましくは、駆動装置は、制御経路を有しており、／可動家具部品の取り出し時に、前記取り出しレバーは、前記制御経路の取り出し部にもたれかかり、／取り出し力貯蔵手段のストレス付与時に、それは、前記制御経路のストレス付与部にもたれかかり、／引き込み装置としての機能時において可動家具部品の閉じ位置への引き込み時に、それは、前記制御経路の引き込み部にもたれかかる。
【００１８】
発明の保護はまた、家具カーカス（家具枠体）、家具カーカスにおいて移動可能な家具部品、及び、本発明に従う駆動装置を有してなる家具製品に対しても要求されている。
【００１９】
駆動装置を具備した可動家具部品を開閉する方法については、本発明に従う目的は、次の手順（によって実現される）、即ち、
可動家具部品を閉じるときの駆動装置のブロック要素を、超過押圧位置に到達したときに取り出し装置のロック解除が防止されるところのブロック位置に動かすこと、及び、
ブロック要素を、ブロック位置から、超過押圧位置に到達したときに取り出し装置のロック解除が起きるところのリリース位置に動かすこと、によって実現される。
そして、ブロック要素のブロック位置からリリース位置への移動が、リセット装置により時間遅延（好ましくは０．２〜４秒の時間遅延）させて、閉じ位置にある可動家具部品と共にもたらされる、ことが特に好ましい。
【００２０】
本発明の更なる詳細および利点は、図示された例による実施形態を参照した具体的な説明によって、以下に、更に十分に説明される。
【図面の簡単な説明】
【００２１】
【図１】図１は、延出ガイド手段および駆動装置を具備した家具製品を示す。
【図２ａ】図２ａは、駆動装置付きの延出ガイド手段を示す。
【図２ｂ】図２ｂは、図２ａの詳細を示す。
【図３ａ】図３ａ〜３ｃは、閉じ位置における駆動装置を示す。
【図３ｂ】図３ａ〜３ｃは、閉じ位置における駆動装置を示す。
【図３ｃ】図３ａ〜３ｃは、閉じ位置における駆動装置を示す。
【図４ａ】図４ａ，４ｂは、超過押圧時の駆動装置を示す。
【図４ｂ】図４ａ，４ｂは、超過押圧時の駆動装置を示す。
【図５ａ】図５ａ〜５ｃ，６，７は、取り出し時の駆動装置を示す。
【図５ｂ】図５ａ〜５ｃ，６，７は、取り出し時の駆動装置を示す。
【図５ｃ】図５ａ〜５ｃ，６，７は、取り出し時の駆動装置を示す。
【図６】図５ａ〜５ｃ，６，７は、取り出し時の駆動装置を示す。
【図７】図５ａ〜５ｃ，６，７は、取り出し時の駆動装置を示す。
【図８】図８は、自由走行条件下での駆動装置を示す。
【図９】図９は、ストレス付与時の駆動装置を示す。
【図１０】図１０は、力貯蔵手段が十分にストレス付与された状態での駆動装置を示す。
【図１１】図１１は、取り出し時の駆動装置を示す。
【図１２ａ】図１２ａ〜ｃは、ブロック要素をブロック位置に移動させたときの駆動装置を示す。
【図１２ｂ】図１２ａ〜ｃは、ブロック要素をブロック位置に移動させたときの駆動装置を示す。
【図１２ｃ】図１２ａ〜ｃは、ブロック要素をブロック位置に移動させたときの駆動装置を示す。
【図１３ａ】図１３ａ〜ｃは、ブロック要素をブロック位置に移動させたときの駆動装置を示す。
【図１３ｂ】図１３ａ〜ｃは、ブロック要素をブロック位置に移動させたときの駆動装置を示す。
【図１３ｃ】図１３ａ〜ｃは、ブロック要素をブロック位置に移動させたときの駆動装置を示す。
【図１４】図１４は、閉じ位置に到達したときの駆動装置を示す。
【図１５ａ】図１５ａ，ｂは、ブロック要素によってロック解除が防止されたときの駆動装置を示す。
【図１５ｂ】図１５ａ，ｂは、ブロック要素によってロック解除が防止されたときの駆動装置を示す。
【図１６】図１６は、通常の閉じ及び始動時における可動家具部品の移動についての時間−移動（位置）のグラフである。
【図１７】図１７は、閉じ位置を超えて移動した場合における可動家具部品の移動についての時間−移動（位置）のグラフである。
【図１８】図１８は、ブロック要素の代替的な実施形態を示す。
【図１９】図１９は、ブロック要素の代替的な実施形態を示す。
【図２０ａ】図２０ａ，ｂは、ブロック要素の代替的な実施形態を示す。
【図２０ｂ】図２０ａ，ｂは、ブロック要素の代替的な実施形態を示す。
【図２１ａ】図２１ａ，ｂ，は、ブロック要素の代替的な実施形態を示す。
【図２１ｂ】図２１ａ，ｂ，は、ブロック要素の代替的な実施形態を示す。
【図２２ａ】図２２ａ，ｂ，は、ブロック要素の代替的な実施形態を示す。
【図２２ｂ】図２２ａ，ｂ，は、ブロック要素の代替的な実施形態を示す。
【図２３ａ】図２３ａ，ｂ，は、ブロック要素の代替的な実施形態を示す。
【図２３ｂ】図２３ａ，ｂ，は、ブロック要素の代替的な実施形態を示す。
【発明を実施するための形態】
【００２２】
図１は、家具カーカス（家具枠体）１４、及びそこに移動可能に取り付けられた家具部品２を備えた家具製品１３を示す。引き出しの形態をなしたこれらの可動家具部品２は、家具カーカス１４上の延出ガイド手段１６を介して線形的（直線的）に変位可能に支持されている。延出ガイド手段１６は、カーカスレール１８、引き出しレール（ここでは図示略）、及び、場合によっては中央レールを有している。駆動装置１は、延出ガイド手段１６又は可動家具部品２に固定されている。
【００２３】
その点に関して図２ａから見て取れるように、本質的なコンポーネント（構成要素）としての駆動装置１は、取り出しレバー７、及び、取り出し力貯蔵手段６（これは同時に引き込み力貯蔵手段１１としても機能する）を有している。減衰装置１９も存在する。
【００２４】
図２ｂから詳しく見て取れるように、取り出しレバー７は、取り出しローラ２０を介して取り出し当接部(ejection abutment)２７にもたれかかっている。取り出しローラ２０は、回転ベアリング２９を介して取り出しレバー７に対し回転可能に取り付けられている。原理上、取り出しレバーは、取り出しベースプレート２６に対し回転軸Ｘを中心として回転可能に取り付けられている。この実施形態では、取り出しベースプレート２６は、可動家具部品２の下側の引き出し底に取り付けられている。取り出し力貯蔵手段６は、引張りバネの形態をなしている。取り出しベースプレート２６とは対照的に、ロックベースプレート８は、カーカスレール１８に取り付けられている。取り出し当接部２７は、当該ロックベースプレート８上に設けられている。
加えて、制御要素２１が、ロックベースプレート８上にリリース方向（解放方向）Ｒに移動可能に取り付けられている。制御要素２１は、力貯蔵手段（ここでは図示略）によるリリース方向Ｒの力によって作動される。加えて、力作動式（強制作動式）のフラップ片２３が、制御要素２０に対し回動可能に取り付けられている。減衰装置１９は減衰ピストン２８を有し、その減衰ピストン２８はスライダー３４にもたれかかっている。スライダー３４は、閉じ位置ＳＳに達する前、とりわけ直前において、取り出しレバー７にもたれかかり、引き込み力貯蔵手段１１として機能する取り出し力貯蔵手段６の引き込み動作を減衰する。開き方向ＯＲでの可動家具部品２の動きについて、可動家具部品２は、その可動家具部品２上に設けられた取り出しレバー７を介して、家具カーカス１４に形成され又は設けられた取り出し当接部２７にもたれかかる。
【００２５】
図３ａ〜３ｃは、駆動装置１の位置が可動家具部品２の閉じ位置ＳＳに対応するところの、駆動装置１の各種図面を示す。制御要素２１に回動可能に取り付けられたブロック要素４がリリース位置（解放位置）Ｆにあることも見て取れる。図３ａ〜３ｃにおいてロック位置Ｖにあるところのロック要素９は、制御要素２１に接続されているか、又は、それと一体で設けられている。そのロック位置Ｖでは、取り出しレバー７は、取り出しローラ２０を介してロック要素９にもたれかかっている。ロックベースプレート８と制御要素２１との間で作動する力貯蔵手段（図示略）は、ロック要素９をリリース方向Ｒに明らかに動かそうとするが、それ（そのこと）は、取り出し力貯蔵手段６の力が、ロック要素９又は制御要素２１とロックペースプレート８との間にある力貯蔵手段（図示略）の力よりも大きくなるにつれて、ロック要素９にもたれかかる取り出しレバー７によって防止される。
【００２６】
可動家具部品２に対し閉じ方向ＳＲに圧力が付与されると、可動家具部品２は超過押圧位置ＵＳに到り、その場合には、駆動装置１は図４ａ，４ｂに示す位置になる。可動家具部品２の閉じ方向への動きのために、取り出しベースプレート２６もまた、ロックベースプレート８に対して相対移動する。但し、閉じ位置ＳＳに従い、取り出しレバー７の取り出しローラ２０は既に閉じ位置において取り出し当接部２７にもたれかかっているので、可動家具部品２が超過押圧位置ＵＳに移動するときでも、取り出しローラ２０は閉じ方向ＳＲに更に移動することができないが、回動軸Ｘ周りでの取り出しレバー７の旋回動作が開始（起動）される。
確かに、その旋回動作のおかげで、取り出しローラ２０は、閉じ方向で見る限り同じ位置にとどまるが、その状況は、閉じ方向ＳＲ又は開き方向ＯＲに対して横方向（横断する方向）での取り出しローラ２０の動きを含む。その結果、力貯蔵手段（図示略）のおかげで、ロック要素９と共に制御要素２１が取り出しローラ２０を通過してリリース方向Ｒに動くことが可能になるまで、取り出しローラ２０は、ロック要素９から離されてロック要素９との接触を断たれる。従って、ロック要素９は、ロック位置Ｖからリリース位置Ｇに移動し、これにより、取り出しレバー７はもはやロック要素９に保持されず、取り出し部Ａへの移動経路がフリー（自由な状態、開かれた状態）になる。
【００２７】
取り出し部Ａがもはやロック要素９によってロックされなくなるや否や、取り出し力貯蔵手段６は解放されて、取り出しレバー７を反時計方向に図５ａ〜５ｃの位置に旋回させる。その旋回動作と共に、取り出しレバー７は取り出しローラ２０を介して取り出しベースプレート２６の取り出し当接部２７にもたれかかり、可動家具部品２を家具カーカス４に対して開き方向ＯＲに動かす。従って、可動家具部品２は図５ａ〜５ｃに示す開き位置ＯＳに配置される。ロック要素９は依然としてリリース位置Ｇにある。
【００２８】
取り出し力貯蔵手段６は更に解放されるため、駆動装置１は更に図６及び７に示す位置に動く。
【００２９】
取り出し装置３の慣性によって、又は、可動家具部品２を開き方向ＯＲに手動で引っぱり続けることにより、駆動装置は更に図８に示す位置に移動する。その位置では、可動家具部品２は自由走行状態となる。可動家具部品２が図８から更に開き方向ＯＲに動かされると、フラップ片２３は、時計方向への旋回を伴って、取り出しローラ２０が通過するのを許容する。
【００３０】
可動家具部品２が再び閉じ方向ＳＲに動かされるとき、取り出しローラ２０は、フラップ片２３及び制御要素２１上に設けられたストレス付与部Ｓ（図９参照）と接触するようになる。取り出しローラ２０が制御要素２１又はフラップ片２３に接触するや否や、制御要素の全体が、力貯蔵手段（図示略）の力に抗してリリース方向Ｒとは反対の関係で動かされ、これにより、ロック要素９がロック位置Ｖにいたる。
【００３１】
可動家具部品２の閉じ方向ＳＲへの更なる移動に際して、取り出しローラ２０は、ストレス付与部Ｓに沿って図１０に示す位置（その位置では取り出し力貯蔵手段６が十分にストレス付与される）に配置され又は転動する。ストレス付与部Ｓは、引き込み部Ｅ及び取り出し部Ａと共に、制御経路１２の本質的な要素を形成する。
【００３２】
図１０に示す位置を超えて閉じ方向ＳＲに移動後、取り出しレバー７は、図１１に示すような引き込み部Ｅに移動する。なお、その場合、取り出しレバー７は、引き込み力貯蔵手段１１と協動する引き込み装置３５として働く（作動する）。取り出しローラ２０と制御要素２０との機械的な接触のおかげで、制御要素２１はリリース方向Ｒとは反対の関係で押圧され、その結果、ロック要素９はロック位置Ｖにとどまる。
【００３３】
更なる結果として、図１２ａ〜１２ｃに示すように、取り出しローラ２０はブロック要素４の回転レバー３０と接触する。その接触によって、ブロック要素４は、回転ベアリング３２を中心として時計回り方向に回転される。結果的に、ブロックカム３１もまた、ロックベースプレート８のガイド経路内に配置される。その回転動作と同時に、引張ばねの形態をなしたリセット装置５もまた、ストレス付与される。その引張ばねは、一方において制御要素２１に固定され、他方においてブロック要素４に固定されている。図１２ａ〜１２ｃに示すように、ブロック要素４は既にブロック位置Ｂにある。
【００３４】
引き込み力貯蔵手段１１の解放によって、駆動装置１は更に図１３ａ〜１３ｃに示す位置（その位置では、可動家具部品２は依然として開き位置ＯＳにある）に動かされる。その引き込み動作中、減衰装置１９の効果も生じ、引き込み力貯蔵手段１１のばね力と対抗する。図１３ａ〜１３ｃに示すように、ブロック要素は更に時計方向に回転し、その結果、ブロックカム３１がガイド経路１０の端部に到達する。その位置で、リセット装置５は十分に荷重付与される。
【００３５】
取り出しローラ２０がもはや回転レバー３０と接触しなくなった直後に、取り出しローラ２０及び取り出しレバー７は、可動家具部品２の閉じ位置ＳＳに対応するところの図１４に示す位置にいたる。その場合、取り出しローラ２０はロック要素９に対しもたれかかる。ブロック要素４はもはや取り出しローラによって接触されないが、それでもなお、それは依然としてブロック位置Ｂにあり、ただし、それは既に、リセット装置５によるリセット動作Ｔの一部をカバーしている。しかしながら、そのリセット動作Ｔは遅延装置によって時間的に遅延される。そのような遅延装置は例えば、回転ベアリング３２における回転ダンパーの形態をなしてもよい。その遅延装置は、ブロック位置Ｂからリリース位置Ｆへのブロック要素４の移動が０．２秒〜４秒の間持続することをもたらす。取り出し装置３は、その期間中、ロック解除されることができない。なお、この点については、後ほど図１５ａ，１５ｂで説明する。
【００３６】
特に図４ａとの比較で、図１５ａにおいてより具体的に見て取れることは、可動家具部品２の超過押圧位置ＵＳへの移動によって、取り出しレバー７が再び、旋回軸Ｘの周りで時計方向に回転するという点である。その結果、取り出しローラ２０は、ロック要素９から離れ、これによりロック要素９が、力貯蔵手段（図示略）によって制御要素２１を介してリリース方向Ｒに実際に動こうとする。しかしながら、リリース方向への動きは、図１５ｂに示されるように、ロックベースプレート８のガイド経路１０のブロック側片(blocking flank)３３にもたれかかっているブロック要素４のブロックカム３１によって防止されている、ことに気づくであろう。こうして最大限でも（せいぜい）、ロック要素９のリリース方向への僅かな動きは可能ではあるが、取り出しローラ２０を取り出し部Ａに解放するには十分ではない。このように、可動家具部品２の超過押圧位置ＵＳへの超過押圧時には、ブロック要素４がブロック位置にある限り、取り出し装置３はロック解除されることができない。オペレータ（操作者）によって、超過押圧位置ＵＳにある引き出し（可動家具部品）に圧力が依然として付与される限り、ブロック要素４は、リセット装置５によってリリース位置Ｆに動かされることができない。それは、（閉じ位置ＳＳにある場合のように）「十分に」、取り出しローラ２０がロック要素９にもたれかかっていないが、力貯蔵手段（図示略）のおかげでロック要素９が、閉じ位置ＳＳに対してリリース方向Ｒに短い距離だけ変位している、からである。この変位のおかげで、回転ベアリング３２の回転軸は、ガイド経路１０の構成とはもはや一致（又は適合）せず、ブロックカム３１は、ガイド経路１０に沿って反時計方向に動くことができず、但し、ブロック側片３３に対してくさび留め(be wedged)されている（図１５ｂ参照）。このことは、超過押圧位置ＵＳにあるときの可動家具部品２を操作者が押し続ける限り、ブロック要素４のリリース位置Ｆへの移動は起こり得ないことを意味する。
【００３７】
取り出し力貯蔵手段６が再び幾分か解放されて取り出しレバー７を反時計方向に旋回可能とし、その結果、ロック要素９が取り出しローラ２０を介して再び図１４に示す位置に移動できるようになるのは、可動家具部品２が（操作者から）解放されたときだけである。その図１４の位置においては、回転ベアリング３２の回転軸が再び、ガイド経路１０の半径と一致（又は整合）し、その結果、リセット装置５は、ブロック要素４を反時計方向に時間遅延した関係で、図３ｃに示すリリース位置Ｆに移動させることが可能になる。図３ｃでは、ブロックカム３１がブロック側片３３を乗り越えており、可動家具部品２が超過押圧位置ＵＳに超過押圧された場合のブロック要素４が、制御要素２１及びロック要素９と共にリリース方向Ｒにガイド経路１０のストレート部３６に沿って動かされることができ、その結果、図４ｂに示されるように、取り出し部Ａが、取り出しローラ２０のために開通される(be cleared)。
【００３８】
図１６は、閉じ位置を超えて押されることがない状態での閉じ操作時における可動家具部品２の位置を示した時間−移動（位置）グラフを模式的に示す。閉じ動作の開示時点では、ブロック要素４はまだリリース位置Ｆにある。同時に、駆動装置１は、ストレス付与の行程距離Ｓに沿って移動され、引き込み部Ｅに到達する。引き込み部Ｅにある可動家具部品２の移動時、ブロック要素４は、リリース位置Ｆからブロック位置Ｂに移動され、又は切替え配置される。閉じ位置ＳＳに到達したとき、ブロック要素４もブロック位置Ｂにある。通常閉じ時に、閉じ位置ＳＳに到達した場合、可動家具部品２の外部（外側）から力は及ぼされないので、遅くとも閉じ位置ＳＳに到達したときにリセット動作Ｔが始まる。そのリセット動作Ｔの終わりと共に、再びブロック要素４もブロック位置Ｂからリリース位置Ｆに移動する。すると、（グラフ中に）破線で示したように、所望される限りの間、ロック解除を待つことが可能になる。操作者（オペレータ）が可動家具部品２を開けたくなるや否や、彼は可動家具部品２を閉じ方向ＳＲに押圧し、これにより可動家具部品は、閉じ位置ＳＳと超過押圧位置ＵＳとの間の超過押圧領域Ｕにいたる。このようにして、取り出し装置３はロック解除され、可動家具部品２が開き方向ＯＲに取り出される（エジェクトされる）。
【００３９】
上記との比較において、図１７は、可動家具部品が閉じ位置を超えて押圧されたことに対する、本発明によってもたらされる保護を模式的に示す。もう一度説明すると、最初に、閉じ動作の開始時には、可動家具部品２は自由走行部（図示略）を移動する。取り出しローラ２０が制御要素２１に接触するや否や、駆動装置１のストレス付与部Ｓに達する。引き込み部Ｅに沿っての移動時、ブロック要素４は、リリース位置Ｆからブロック位置Ｂに移動される。続いて、閉じ位置ＳＳへの到達時に、可動家具部品２は停止されず、即座に超過押圧位置ＵＳに向けて押し込まれる。ブロック要素４はブロック位置Ｂにあるので、取り出し装置３はロック解除されることができず、可動家具部品の超過押圧作用にもかかわらず、可動家具部品２の開き方向ＯＲへの取り出しはない。可動家具部品２が超過押圧位置ＵＳに残ったままである限り、ブロック要素４もブロック位置Ｂに居座る（グラフ中の破線を参照）。取り出し力貯蔵手段６及び取り出しレバー７によって可動家具部品２が再び閉じ位置ＳＳに移動するのは、可動家具部品２が解放（リリース）されたときだけである（グラフのリリース部Ｌを参照）。可動家具部品２が閉じ位置ＳＳになるや否や、リセット装置５によって生み出されるリセット動作Ｔもまた再び始まる。図１６と同じ期間の後、そのリセット動作Ｔは終了され、ブロック要素４が再び、ブロック位置Ｂからリリース位置Ｆに移動する。すると、図１６でのように、所望される限りの間、トリガー（動作開始）ないしロック解除を待つことが可能になる。超過押圧位置ＵＳへの超過押圧によって再びロック解除がなされ、取り出し装置３による開き方向ＯＲへの可動家具部品２の取り出しがなされる。
【００４０】
図１８〜図２３ｂは、本発明の更なる実施形態を示し、特にブロック要素４の構成が異なる実施形態を示す。それに関して、先ず図１８に注意を向けられたし。
その図１８は、図９に示すような駆動装置１の位置に相当する。換言すれば、可動家具部品２が丁度閉じられたところであり、取り出しローラ２０が、制御要素２１のストレス付与部Ｓにもたれかかっている。そのことは、制御要素２１の全体が図８から図９へ（の動き）と同様に動かされることをもたらす。この動きに伴い、ブロックカム(blocking cam)３１もまた、ロックベースプレート８のガイド経路１０に沿って左に向かって、図１８に示すようにブロックカム３１が転換エッジ(diversion edge)３８に接触するまで、動かされる。図１８では、可動家具部品２は開き位置にある。ロック要素９は既にロック位置Ｖにある。この実施形態では、ロック要素９は同時にブロック要素４を形成し、回転ベアリング３２を中心として回転可能である。
【００４１】
図１９に示すように制御要素２１がストレス付与のフェーズ（局面）で更に動かされた場合、ブロックカム３１は転換エッジ３８によって偏向させられ、これによりブロック要素４が反時計方向に回転する。回転ベアリング３２又はブロック要素４の領域には、リセット装置５の機能を引き受ける減衰媒体が配置されている。こうしてブロック要素４は、図１９のブロック位置にくる。
【００４２】
図２０ａ，２０ｂに示すように、更なる閉じプロセスでは、取り出しローラ２０は、ロック要素９又はブロック要素４を超えて通過し、これにより、可動家具部品２の閉じ位置ＳＳにいたる。
【００４３】
仮に可動家具部品２が即座に超過押圧位置ＵＳに向けて更に押圧されたならば、図２１ａ，２１ｂに示すように、取り出しローラ２０はロック要素９を持ち上げるが、しかし、制御要素２１全体の短い移動だけがある、というのも、その移動は、制御側片(control flank)３３と会合する制御カム３１によって即座に止められるからである。こうして、ブロック位置Ｂは、少なくとも一時的に超過押圧位置ＵＳに維持される。
【００４４】
数秒の短い期間の後、減衰媒体の降伏力によってブロック要素４は再び時計方向に回動され、これによりブロック要素４は図２２ａ，２２ｂに示すリリース位置Ｆにいたる。しかしながら、取り出しローラ２０は依然としてブロック要素４又はロック要素９にもたれかかっており、その理由のために、現行のロック位置Ｖに基づいて、ロック解除も取り出しも起こらない。
【００４５】
図３及び図４に関して既に説明したようなロック解除および取り出しが起こるのは、その位置から始まる「通常の」又は所望の超過押圧がもたらされたときだけである。その場合、図２３ａ，２３ｂに示すように、取り出しローラ２０は取り出し部Ａにいたる、というのも、そのことが制御要素２１によって可能とされたからである。制御要素２１の右の方への当該移動に際し、ブロックカム３１もガイド経路１０に沿って移動する。
【００４６】
このように本発明は、可動家具部品が閉じ位置を超えて押圧されることに対する代替的な保護をもたらすものであり、そこでは、取り出し装置３のロック解除が、閉じ位置ＳＳに到達した後の所定時間の間、防止される。可動家具部品２が閉じ位置を超えて押圧された後、まだ超過押圧位置ＵＳにある限り、完全にロック解除が防止される。
【００４７】
本願に開示した実施形態では、取り出しレバー７は、可動家具部品２と関連しており、家具カーカス１４と関連した取り出し当接部２７にもたれかかっている。しかしながら、特に、逆の変形形態（変形態様）も考えられるところであり、家具カーカス１４と関連した取り出しレバー７が可動家具部品２を取り出し（エジェクト）してもよい。個々のコンポーネント（構成部品）は、それらの全て若しくはそれらのいくつかに関して延出ガイド装置１６に固定可能であり、又は、それらのいずれも延出ガイド装置１６に固定可能ではない。従って、超過押圧に対する保護の変形形態（変形態様）は、全ての変形的構成に適用される。特に、この超過押圧に対する保護は、旋回可能な取り出しレバー７を具備した取り出し装置３に必ずしも限定されなければならないものではなく、ごく当然に、心臓形（ハート形）のガイド経路を備えた線形的に移動可能な取り出し要素のケース（事例）で実施することも可能である。引き出しの他に、可動家具部品２は、家具用のフラップ片や家具用のドアなどであってもよい。
【符号の説明】
【００４８】
ＯＲ  （可動家具部品２の）開き方向
ＳＲ  （可動家具部品２の）閉じ方向
ＯＳ  開き位置（可動家具部品２）
ＳＳ  閉じ位置（可動家具部品２）
ＵＳ  超過押圧位置（可動家具部品２）
Ｂ  ブロック位置（ブロック要素４）
Ｆ  リリース位置（ブロック要素４）
【図１】
2016514575.tif 000003
【図２ａ】
2016514575.tif 000004
【図２ｂ】
2016514575.tif 000005
【図３ａ】
2016514575.tif 000006
【図３ｂ】
2016514575.tif 000007
【図３ｃ】
2016514575.tif 000008
【図４ａ−４ｂ】
2016514575.tif 000009
【図５ａ】
2016514575.tif 000010
【図５ｂ−５ｃ】
2016514575.tif 000011
【図６】
2016514575.tif 000012
【図７】
2016514575.tif 000013
【図８】
2016514575.tif 000014
【図９】
2016514575.tif 000015
【図１０】
2016514575.tif 000016
【図１１】
2016514575.tif 000017
【図１２ａ】
2016514575.tif 000018
【図１２ｂ】
2016514575.tif 000019
【図１２ｃ】
2016514575.tif 000020
【図１３ａ】
2016514575.tif 000021
【図１３ｂ】
2016514575.tif 000022
【図１３ｃ】
2016514575.tif 000023
【図１４】
2016514575.tif 000024
【図１５ａ−１５ｂ】
2016514575.tif 000025
【図１６】
2016514575.tif 000026
【図１７】
2016514575.tif 000027
【図１８】
2016514575.tif 000028
【図１９】
2016514575.tif 000029
【図２０ａ】
2016514575.tif 000030
【図２０ｂ】
2016514575.tif 000031
【図２１ａ】
2016514575.tif 000032
【図２１ｂ】
2016514575.tif 000033
【図２２ａ】
2016514575.tif 000034
【図２２ｂ】
2016514575.tif 000035
【図２３ａ】
2016514575.tif 000036
【図２３ｂ】
2016514575.tif 000037
【国際調査報告】
2016514575.tif 000038
2016514575.tif 000039
2016514575.tif 000040
2016514575.tif 000041